(57)【要約】【課題】従来の常時開口したポケットに取付ける飛出し防止具は、ポケット口を塞ぎ収納物を受止める回動自在な受体を一定の位置に規制することが困難なものである。【解決手段】ポケット本体５２内壁に密着し上部がフック状になった基体２ａと、ポケット口の中央部を斜め下向傾斜に塞ぐ受体３ａと、前記基体と前記受体を一体に連結する弾力を有する連結部４ａとを備え、前記連結部の上方に前記基体先端の当接面部６ａと前記受体先端の当接面部７ａとが対面する構成とし、前記連結部を支点に受体を基体側に回動させポケット口を開き収納物５５を出し入れする。前記基体先端の当接面部６ａと前記受体先端の当接面部７ａとが当接するときに受体に対し回動規制が働き回動角度１６を収納物が飛出さない角度に回動規制するものとする。そして、飛出し防止具の取付けは、基体の上部にポケット本体５２を基体側に押し圧する取付具４０を設けたポケットの飛出し防止具１ａ。【選択図】    図１
2014214406.tif 000002
【特許請求の範囲】
【請求項１】
上衣本体の胸部外側に設けられているポケットにおいて、そのポケットを形成するポ
ケット本体の内側に納置される収納物の飛出しを防ぐものであって、
前記ポケット本体に取付けられる板状の基体と、
前記基体の上部に連結部により連結された前記ポケット口を塞ぐ受体とを備え、
前記連結部は、前記基体と前記受体とに一体であるか、もしくは、前記基体と前記受体とに固着され、
前記受体は、前記基体に対し１００度を超えない角度に開いた位置ａと、前記基体下方側に閉じた位置ｂとの間で、前記連結部を支点に回動自在であり、
前記受体が回動する時に、その回動に抗する復元力が働くようにした前記受体の回動復元手段と、
前記受体が前記位置ａを超えないように前記受体の回動を規制する前記受体の回動規制手段とを有することを特徴とするポケットの飛出し防止具。
【請求項２】
前記受体の回動規制手段は、
前記基体の上部端面の一部又は全部からなる前記基体側当接面と、
前記基体側当接面に対抗する前記受体の端面の一部又は全部からなる前記受体側当接面
とを備え、
前記受体が開いた前記位置ａにある時に、前記基体側当接面と前記受体側当接面とが当接することにより前記受体の回動が規制されることを特徴とする請求項１記載のポケットの飛出し防止具。
【請求項３】
前記受体の回動規制手段は、
前記連結部の下方に、前記受体が前記位置ａを超えないように前記基体と前記受体とを
繋ぐ繋ぎ部を備え、
前記繋ぎ部は、その繋ぎ部の上部接続部が前記連結部の近傍部に位置し、
前記基体に対し３０度以下の角度の斜め傾斜となるように前記繋ぎ部の下部接続部が位置され、
前記受体が開いた前記位置ａにある時に、前記繋ぎ部に張力が生ずることにより前記受体の回動が規制されることを特徴とする請求項１記載のポケットの飛出し防止具。
【請求項４】
前記受体の回動規制手段は、
前記連結部の下方に、前記受体が前記位置ａを超えないように前記基体と前記受体とを
繋ぐ繋ぎ部を備え、
前記繋ぎ部の上方は開放されるか、もしくは、その上方の構造体部に窪み部を有し、
前記受体が回動する時及び前記受体が閉じた前記位置ｂにある時に、前記繋ぎ部の少なくとも一部が前記開放された開放部又は前記窪み部に位置し、
前記受体が開いた前記位置ａにある時に、前記繋ぎ部に張力が生ずることにより前記受体の回動が規制されることを特徴とする請求項１記載のポケットの飛出し防止具。
【請求項５】
前記受体の回動復元手段は、
前記連結部が前記受体の回動に伴う曲げに抗する弾力を有するものであるか、
もしくは、前記基体と前記受体との間に、前記受体の回動に抗する弾力材を備えたもの
であるか、
もしくは、前記繋ぎ部が前記受体の回動に抗する弾力を有するものであるか、
もしくは、前記複数の手段が組合せられたものであることを特徴とする請求項１乃至４のいずれかに記載のポケットの飛出し防止具。
【発明の詳細な説明】
【技術分野】
【０００１】
シャツ等の上衣の胸部外側に設けられているポケット内に収納された収納物の飛出しを防ぐポケットの飛出し防止具に関する。
【背景技術】
【０００２】
従来の飛出しを防ぐポケットは、同ポケットの入り口部をボタン・ホック・又はファスナ−等の止具を用いて塞ぐ構造のものがある。
【０００３】
また、後述する特許文献１（以下文献１と言う）におけるポケットに設ける飛出し防止構造体では、
ポケット内の空間を前後に仕切る外壁（本発明の基体に相当）と、同外壁上部に設けられた収納物を覆う被覆壁（本発明の受体に相当）とを備え、前記被覆壁は手動により収納物を覆わないポケット口を開く形状に変形及びポケット口を塞ぐ形状に自然復元可能な構造としている。（請求項１参照）
【０００４】
そして、前記外壁と前記被覆壁の少なくとも一部は弾性体からなっている。（請求項２参照）
【０００５】
そして、前記被覆壁は前記外壁の上端に取付けられており、前記外壁と前記被覆壁との対面間に前記外壁に対し前記被覆壁の横幅の少なくとも一部又は全部を上部から下方に向って逆Ｖ字状に広げる（本発明のポケット口を塞ぐ回動復元構造）拡開部材を備えている。（請求項３参照）
【０００６】
そして、前記外壁はポケット内上部の空間を前後に仕切る変形四角形状からなり、同外壁上端に固着又は連設し前記外壁の縦長さより短い縦長さで外壁の内側に下方斜め傾斜に横長四角形状の被覆壁を設け、更に同被覆壁と前記外壁との対面間の一定の横幅間を、下方に向けて逆Ｖ字状に広げる空間を設けるため、ゴムや樹脂などの板状弾性体を折り曲げ一定のばね力を持つ拡開部材を設けている。
そして、前記外壁上部の一部と前記被覆壁の重ね接続の内、その外壁と被覆壁下端の一定の横間隔間に否取付け部を設け、その否取付け間に拡開部材を設けている。（段落０００９、段落００１１、図１参照）
【０００７】
また、前記外壁と前記被覆壁の間に拡開部材を設けない場合又はばね力の弱い拡開部材を設けた場合では、少なくとも外壁上部と被覆壁の一部は一定の弾力を持つ弾性体の材質から形成され、被覆壁下方部に一定の空間を設けるものとしている。（段落００１４参照）
【０００８】
また、被覆壁の変形例では、外壁上部に被覆壁を支持する基材を設け、その基材上部と被覆壁上部をヒンジで連結し、基材に対し前記ヒンジを基点に被覆壁を逆Ｖ字状の一定の開き角度に回転自在に広げ、その一定の開き角度状態を保持する為前記基材と被覆壁との間にばね作用の働きをする板状の樹脂板又は板状又は線状の金属の拡開部材を設けている。（段落００１５参照）
【０００９】
また、収納物が飛出そうとする圧力で被覆壁が上方にめくれようとするのを防ぐ為、被覆壁の所定の横間隔位置を外壁に密着状態に重ね被覆壁の一定以上の開きを防いでいる。（段落００２１、段落００３５、図１、図７、図８参照）
【００１０】
以上参考文献１に基づいて記載したものにおいては、
参考文献１の被覆壁（本発明の受体に相当）の回動を規制することが示されていない。
【００１１】
本発明の回動規制構造に類似する参考文献１構造では、（図１、図２、図３、段落０００９、段落００１１、段落００２１）で示される、ポケット内の空間を前後に仕切る外壁と、その外壁と被覆壁との間の空間横端部を接続し、被覆壁の一定以上の開きをを防ぐ構造としている。
【００１２】
しかし、この構造では、ポケットの収納幅より小さい収納幅となることと、収納物が飛出すときの外壁と被覆壁との間の間口（文献１の図１のａ点とｂ点間）が変形横長楕円形状となり、ポケットの有効間口より大きく縮小されることとなり、収納物の横幅に制限が生じることとなる。近年富に普及している多機能携帯電話は従来の携帯電話より横幅が広くなる傾向にあり使い勝手の悪いものとなっている。
【００１３】
また、（図４、図５、図６、段落００１５）で示される、外壁と被覆壁との間に収納物の飛出し圧力に耐えられる板状の樹脂板又は板状又は線状の金属等のばね作用の働きをする拡開部材を設けたものにおいては、被覆壁の開閉時に大きな力が必要でり、最もソフトなタッチが求められる被覆壁の開閉の構造としては実用的ではない。
【特許文献１】特開２０１０-５９５９４（特願２００８-３２０３４９）
【発明の開示】
【発明が解決しようとする課題】
【００１４】
以上に述べた従来の飛出しを防ぐ上衣（シャツ等）の胸部に設けられたポケットは、収納物の出し入れの度にボタン等の止具の着脱を行う必要があり面倒なものであった。
【００１５】
また、文献１の飛出し防止体は、収納物を受止める間口が狭くなる構造であり、収納物の飛出しを確実に防止でき難くいことと、ポケット内の広さを有効利用できない為、収納物の大きさに制限がある。
そして、（段落００１５）で示されるものでは被覆壁の開閉時に大きな力が必要で実用性において問題があるものである。
【００１６】
本発明は、この様な従来の問題を解決しようとするもので、上衣本体の胸部の前方外側に設けられている従来のポケット口が常時開いた構造のポケットにおいて、そのポケット口を開閉自在に塞ぎ、収納物の大きさと出し入れに支障をきたすことなく収納物の飛出しを防ぐ、ポケット内に設ける飛出し防止具を提供目的とするものである。
【課題を解決するための手段】
【００１７】
上記目的を達成する為の本発明は、
上衣本体の胸部外側に設けられている所定の横幅と高さを有するポケット本体からなるポケットにおいて、
前記ポケット本体に取付けられる板状の基体と、
前記基体の上部に連結部により連結された前記ポケット口を塞ぐ横長板状の受体とを備え、
前記受体は、前記基体に対し１００度を超えない角度に開いた（ポケット口を塞いだ）位置ａと、前記基体下方側に閉じた（ポケット口を開いた）位置ｂとの間（角度内）で、前記連結部を支点に回動自在とし、
前記受体が回動する時に、その回動に抗する復元力が働くようにした前記受体の回動復元手段と、
前記受体が前記位置ａを超えない（収納物の飛出しを防ぐ）角度となるように前記受体の回動を規制する前記受体の回動規制手段とを有している。（図１〜図１０参照）
【００１８】
そして、前記受体の回動規制手段は、
前記基体の上部先端面の一部又は全部からなる前記基体側当接面と、
前記基体側当接面に対抗する前記受体の先端面の一部又は全部からなる前記受体側当接
面とを備え、
前記受体が開いた前記位置ａに有る時、即ち前記受体が前記位置ａを超えて開こうとする時に、前記基体側当接面と前記受体側当接面とが当接することとなる。
それにより前記受体の回動が規制されるものとしている。（図１〜図５参照）
【００１９】
また、別の前記受体の回動規制手段は、
前記連結部の下方に、前記受体の開きが前記位置ａを超えない（角度となる）ように
前記基体と前記受体とを繋ぐ繋ぎ部を備え、
前記繋ぎ部は、その繋ぎ部の上部接続部が前記連結部の近傍部に位置し、
前記基体に対し３０度以下の（３０度を超えない）角度の斜め傾斜となるように前記繋ぎ部の下部接続部が位置され、
前記受体が開いた前記位置ａに有る時、即ち前記受体が前記位置ａを超えて開こうとする時に、前記繋ぎ部に張力が生ずることとなる。その張力が生ずることにより前記受体の回動が規制されるようにしている。（図６、図７参照）
【００２０】
また、別の前記受体の回動規制手段は、
前記連結部の下方に、前記受体が前記位置ａを超えない（角度となる）ように前記受体
とを繋ぐ繋ぎ部を備え、
前記受体が回動する時に前記繋ぎ部は上方に突出するように折曲がって変形する。その変形部を受け入れ容易とする為に、
前記繋ぎ部の上方の前記基体と前記受体及び前記連結部とに跨って開放部を設けるか、又は前記基体と前記受体及び前記連結部のどれかに開放部を設けるか、もしくは前記基体と前記受体とに窪み部を設けるか、又は前記基体と前記受体のどちらかに窪み部を設けるものとしている。
そして、前記受体が開いた前記位置ａに有る時、即ち前記受体が前記位置ａを超えて開こうとする時に、前記繋ぎ部に張力が生ずることとなる。その張力が生ずることにより前記受体の回動が規制されるようにしている。（図８〜図１２参照）
また、前記繋ぎ部をスポンジ等の圧縮復元自在な一定の張力に対応できる(耐えられる)材質のものにし、それを前記基体と前記受体とに固着した取付にすると、その繋ぎ部は前記開放部又は前記窪み部を設けることなく前記回動規制手段と、後述する回動復元手段とを兼ねたものにすることができる、更に、前記繋ぎ部は、前記基体と前記受体とを連結する連結部をも兼ねることができる。
【００２１】
また、前記受体の回動復元手段は、
前記連結部が前記受体の回動に伴う曲げに抗する弾力を有するものであるか、
もしくは、前記基体と前記受体との間に、前記受体の回動に抗するスポンジ等の弾力材
を備えたものであるか、
もしくは、前記繋ぎ部が前記受体の回動に抗する弾力を有するものであるか、
もしくは、前記複数の手段を組合せたものとしている。（図１〜図１２参照）
【００２２】
前記飛出し防止具の前記ポケットへの取付は、
前記基体の前部にその基体の上部から下方に立ち下がる取付具を設け、その取付具の下部が前記ポケット本体を弾性的に押し圧するように形成し、
前記押し圧を受ける前記基体の前記押し圧受部近傍部分に凹凸が形成され、その凹凸部の形状に沿って前記ポケット本体を介接させ、前記取付具と前記ポケット本体との間に大きな摩擦抵抗が生ずるものとしている。（図１〜図４参照）
【００２３】
また、飛出し防止具の前記ポケットへの別の取付例では、前記基体の前部には、前方に突起するボタン状の先太形状の止具を備え、前記ポケット本体に設けられたボタン孔に前記止具を挿入して取付るものとしている。（図５参照）
【発明の効果】
【００２４】
ポケット口を開閉自在に常時塞ぐ位置に受体を配設し、その受体を回動規制することで、収納場所として最も使い勝手の良い上衣（シャツ等）のポケット口が常時開いた従来のポケットに安全に収納できる。
【００２５】
また、受体の回動規制手段を、連結部近傍の基体の一端と受体の一端とが当接してなる構成と、連結部下方の基体と受体と繋ぐ繋ぎ部を設ける構成は、樹脂等で一体に成形することが容易なものであり、又一体成形することでコストを抑えた連結部に弾力を持たせることが簡単となり、受体を一定の回動の角度内で回動復元自在にすることができる。
【００２６】
また、回動復元手段を基体と受体との間にスポンジ等のやわらかい弾力材を設けたものにすると、受体に加える負荷と、受体の復元力を好ましいやわらかなものにすることと、前記弾力材を基体と受体とに固着すると、その弾力材を受体の回動復元手段と前記回動規制手段の繋ぎ部の働きを持たせることも可能とするものである。
【００２７】
また、繋ぎ部を斜め傾斜にすると受体の回動に伴う繋ぎ部の変形代を小さなものとし、繋ぎ部にかかる不規則な負荷を軽減でき繋ぎ部の劣化を防ぐことができる。
【００２８】
また、前記受体の回動に伴う繋ぎ部の変形部分を受け入れる繋ぎ部の上方に開放部又は窪み部を設けると、繋ぎ部の変形がスム−ズとなり受体の回動時の負荷と、その繋ぎ部の傷みを軽減することができる。
【００２９】
また、飛出し防止具をポケットに取付ける取付具に対向する部分の基体面に凹凸を設けると、その凹凸部面にポケット本体が沿う形態となり、飛出し防止具がポケットから外れようとする時に大きな摩擦が生じ飛出し防止具の取付の安定を図れるものとなる。
【図面の簡単な説明】
【００３０】
【図１】（Ａ）は、ポケットに取付けた本発明の飛出し防止具の平面図、（Ｂ）は、その横立面図
【図２】図１（Ｂ）の上部の変形例の横立面図
【図３】図２の受体を閉じた変形例の横立面図
【図４】受体の回動規制位置を示す図３の変形例の横立面図
【図５】図２の変形例の横立面図
【図６】図５の変形例の横立面図
【図７】図６の受体を閉じた変形例の横立面図
【図８】図１（Ａ）の変形例の平面図
【図９】図８Ｘ１−Ｘ１線の矢視図
【図１０】図９の受体を閉じた変形例の横立面図
【図１１】図１０の変形例の横立面図
【図１２】図１１の変形例の横立面図
【発明を実施するための最良の形態】
【００３１】
以下、本発明の実施の形態を図１〜図１２に基づいて説明する。
【００３２】
図１の（Ａ）図は、ポケット５１に取付けた本発明の飛出し防止具１ａの平面図を示し、（Ｂ）図は、（Ａ）図の横立面図を示す。
上衣本体の胸部外側（前方）に設けられているポケット口が常時開いたポケット５１であって、前記ポケットを形成する所定の横幅と高さを有するポケット本体５２内壁に密着し上部がフック状になった基体２ａと、ポケット口の中央部を斜め下向傾斜に塞ぐ受体３ａと、前記基体と上前記受体とを一体に連結する弾力を有する連結部４ａを備え、前記連結部からわずかに離れた上方側の前記基体の外面１１ａに隣接する当接面部６ａと前記受体の外面１２ａに隣接する当接面部７ａとが対面する構成とし、前記連結部を支点に前記受体を前記基体側に回動１５させポケット口を開き収納物５５を出し入れする。前記基体の当接面部６ａと前記受体の当接面部７ａとが当接するときに受体は基体に対し回動規制位置１７で回動規制が働き回動角度（回動範囲）１６を収納物が飛出さない角度に保持するものとする。そして、飛出し防止具の取付けは、ポケット本体５２内壁に面する前記基体の前部（外側）縦面にポケット内側向きにくぼんだくぼみ部４２を設け、前記基体の上部に固着し、ポケット本体５２の外側下方に立ち下る下端に前記くぼみ部近辺のポケット本体を前記基体側に押し圧する押え部４１を有する取付具４０を備えている。
そして、飛出し防止具１ａは一体構造に成形可能な構造としている。
【００３３】
図２は、図１（Ｂ）の上部の変形例の飛出し防止具１ｂで、図３はポケット口を開く受体３ｂが基体２ｂ側に回動１５した状態を示し、図４はポケット口を安全に塞ぐ受体の回動規制が働いた状態を示す。
図２は、フック状の基体２ｂの上部と斜め傾斜の受体３ｂの上部とを連結する弾力を有する連結部４ｂと、その連結部の上方外側に基体の外面１１ｂに隣接する当接面部６ｂと受体の外面１２ｂに隣接する当接面部７ｂが対面（相対）する構成を一体構造に備え、
そして、基体の外側縦面には上下に配置された一対の突起部４３を設け、基体の上部に固着し、下方に立下がる取付具４０を備えている。
図３は、受体３ｂを基体２ｂ側に回動１５すると、連結部４ｂの弾力により受体を回動前の姿勢に戻そうとする回動の復元力が働くものとなっている。
図４は、受体の回動規制位置１７は、基体２ｂの当接面部６ｂと受体３ｂの当接面部７ｂとが当接してなり、最大の回道角度１６に制御する受体の回動規制が働いた時の状態を示している。
【００３４】
図５で示す飛出し防止具１ｃは、基体２ｃの上部側面の当接面部８と斜め傾斜の受体３ｃ上部の当接面部７ｃとが対面（相対）し、その両面部の下方に基体と受体とを連結する弾力を有する連結部４ｃとを一体構造に備え、前記連結部下方の基体と受体との間にスポンジ等の圧縮復元可能とする弾力材３０を設け、前記連結部４ｃと前記弾力材３０との二重の弾力の働きで受体の回動時の押し圧と、受体を回動前の姿勢に戻す復元力の力の微調整を容易にすることを可能とする構造とし、基体の前部にポケット本体５２に備えられているボタン孔５４に掛止め可能とするボタン機能を果す先太形状の止具４４を設けている。そして、本飛出し防止具１ｃは一体に成形可能な構造としている。
【００３５】
図６で示す飛出し防止具１ｄは、基体２ｄと受体３ｄとを連結する連結部４ｄと、その連結部下方に前記受体の前記連結部の近傍の接続部ｃ１位置から下方斜め傾斜に前記基体に対し３０度以下の傾斜角度２１で下方の前記基体の接続部ｃ２位置とを繋ぐ繋ぎ部２０ａとを一体構造に備え、前記繋ぎ部の上端接続部ｃ１の前記連結部を支点とする回動軌道２４と、前記繋ぎ部の下端接続部ｃ２を支点とする回動軌道２５との軌道差２６とを示し、前記上端接続部ｃ１が前記連結部に近く、前記繋ぎ部の傾斜角度を鋭角にする程前記軌道差２６を小さなものとすることができる。
【００３６】
図７は、受体３ｄを回動１５させた時に、図６で示す軌道差２６が小さい程、繋ぎ部２０ａの変形代を少なくし、回動を容易にすることができる。
【００３７】
図８は、飛出し防止具１ｅの平面図を示し、図９は図８のＸ１−Ｘ１線の矢視図を示し、図１０は、図９の受体を回動させた状態を示し、図１１、図１２は図１０の変形例を示す。
図８、図９の基体２ｅと受体３ｅとを連結する連結部４ｅと、その連結部下方に基体と受体とを繋ぐ繋ぎ部２０ｂを一対設け、その繋ぎ部上方が開放した開放部２７ａを有し、又は受体３ｆの一部に開放部２７ｂを設けるか、又は図１２で示す受体３ｇの内側に窪み部２８を設けている。図１０、図１１、図１２で示す受体が回動した時に、前記繋ぎ部の変形の一部が前記開放部又は窪み部２８に位置し、繋ぎ部の変形を自在になるものとし、且つ、繋ぎ部の傷みを軽減と受体の回動がスム−ズに行えるものとなる。
【符号の説明】
【００３８】
１ａ、１ｂ、１ｃ、１ｄ、１ｅ、１ｆ、１ｇ    ：飛出し防止具  
２ａ、２ｂ、２ｃ、２ｄ、２ｅ、２ｆ、２ｇ    ：基体  
３ａ、３ｂ、３ｃ、３ｄ、３ｅ、３ｆ、３ｇ    ：受体
４ａ、４ｂ、４ｃ、４ｄ、４ｅ、４ｆ、４ｇ    ：連結部
６ａ、６ｂ    ：（基体先端の）当接面部
７ａ、７ｂ、７ｃ    ：（受体先端の）当接面部
８    ：（基体側面の）当接面部
１１ａ、１１ｂ、１１ｃ    ：（基体の）外面
１２ａ、１２ｂ、１２ｃ    ：（受体の）外面
１５    ：回動
１６    ：回動角度（回動範囲）
１７    ：回動規制位置（位置ａ）
２０ａ、２０ｂ    ：繋ぎ部
ｃ１、ｃ２      ：接続部
２１    ：傾斜角度
２２    ：軌道半径
２３    ：軌道半径
２４    ：回動軌道
２５    ：回動軌道
２６    ：軌道差
２７ａ、２７ｂ    ；開放部
２８    ：窪み部
３０    ：弾力材（スポンジ等）  
４０    ：取付具
４１    ：押え部
４２    ：窪み部
４３    ：突起部
４４    ：止具
５０    ：上衣本体（シャツ等）
５１    ：ポケット
５２    ：ポケット本体
５３    ：収納部
５４    ：ボタン孔
５５    ：収納物
【図１】
2014214406.tif 000003
【図２】
2014214406.tif 000004
【図３】
2014214406.tif 000005
【図４】
2014214406.tif 000006
【図５】
2014214406.tif 000007
【図６】
2014214406.tif 000008
【図７】
2014214406.tif 000009
【図８】
2014214406.tif 000010
【図９】
2014214406.tif 000011
【図１０】
2014214406.tif 000012
【図１１】
2014214406.tif 000013
【図１２】
2014214406.tif 000014
【手続補正書】
【提出日】平成25年7月26日(2013.7.26)
【手続補正１】
【補正対象書類名】特許請求の範囲
【補正対象項目名】全文
【補正方法】変更
【補正の内容】
【特許請求の範囲】
【請求項１】
上衣本体の胸部外側に設けられているポケットにおいて、そのポケットを形成するポケット本体の内側に納置される収納物の飛出しを防ぐものであって、
前記ポケット本体に取付けられる板状の基体と、
前記基体の上部に連結部により連結された前記ポケット口を塞ぐ受体とを備え、
前記連結部は、曲げに抗する弾力を有し、前記基体と前記受体とに一体に形成され、
前記受体は、前記基体に対し前記ポケット口を塞ぐ所定の角度に開いた位置と、前記基体下方側に閉じた位置との間で、前記連結部の曲部を支点に回動自在であり、
前記受体が回動する時に、その回動に抗する復元力が働くようにした前記受体の回動復元手段と、
前記受体が開いた位置を超えないように前記受体の回動を規制する前記受体の回動規制手段とを有し、
前記受体の回動規制手段は、
前記基体の上部端面の一部又は全部からなる前記基体側当接面と、
前記基体側当接面に対向する前記受体の端面の一部又は全部からなる前記受体側当接面とを備え、
前記基体側当接面と前記受体側当接面とは、前記連結部の上方に位置し、
前記受体が開いた位置にある時に、前記基体側当接面と前記受体側当接面とが当接することにより、前記受体の回動が規制されるものであることを特徴とするポケットの飛出し防止具。
【請求項２】
前記受体の回動規制手段は、
前記連結部の下方に、前記受体が開いた位置を越えないように、前記基体と前記受体と
２／２
を繋ぐ繋ぎ部を備え、
前記繋ぎ部の上方は開放されるか、もしくは、その上方の構造体部に窪み部を有し、
前記受体が回動する時及び前記受体が閉じた位置にある時に、前記繋ぎ部の少なくと
も一部が前記開放された開放部又は前記窪み部に位置し、
前記受体が開いた位置にある時に、前記繋ぎ部に張力が生ずることにより前記受体の回動が規制されることを特徴とする請求項１記載のポケットの飛出し防止具。
【手続補正書】
【提出日】平成25年10月11日(2013.10.11)
【手続補正１】
【補正対象書類名】特許請求の範囲
【補正対象項目名】請求項２
【補正方法】変更
【補正の内容】
【請求項２】
前記受体の回動規制手段は、
前記連結部の下方に、前記受体が開いた位置を越えないように、前記基体と前記受体と
を繋ぐ繋ぎ部を備え、
前記繋ぎ部の上方は開放されるか、もしくは、その上方の構造体部に窪み部を有し、
前記受体が回動する時及び前記受体が閉じた位置にある時に、前記繋ぎ部の少なくと
も一部が前記開放された開放部又は前記窪み部に位置し、
前記受体が開いた位置にある時に、前記繋ぎ部に張力が生ずることにより前記受体の回動が規制されることを特徴とする請求項１記載のポケットの飛出し防止具。